【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
内部キャビティ、入口、及び出口を画定するフィルタハウジングと、
前記入口と前記出口との間に介在する第１の格子と、
前記第１の格子から軸方向に間隔を置いて配置されたカバーと、
封止材と、
フィルタメディアを有するフィルタエレメントであって、前記フィルタエレメントは、軸方向に前記第１の格子と前記カバーとの間に介在し、少なくとも一部分が前記内部キャビティ内に位置し、前記封止材は、前記フィルタエレメントと前記フィルタハウジングとの間で動作して、前記入口から前記出口にかけての前記フィルタメディアの周囲への迂回を防ぐ、前記フィルタエレメントと、
を備えるフィルタアセンブリ。
【請求項２】
前記フィルタエレメントは、入口流れ面及び出口流れ面を有し、前記第１の格子は、前記出口流れ面の端から端まで、前記出口流れ面に軸方向に隣接して延び、前記カバーは、前記入口流れ面の端から端まで、前記入口流れ面に軸方向に隣接して延び、前記出口流れ面に隣接する前記第１の格子は、前記フィルタメディアの筒同士が、前記フィルタアセンブリを通る流れの方向にずれるのを実質的に抑える、請求項１に記載のフィルタアセンブリ。
【請求項３】
前記第１の格子は、前記フィルタハウジングの一部分として一体的に形成されて、一体構造になっている、請求項１に記載のフィルタアセンブリ。
【請求項４】
前記第１の格子は、前記フィルタハウジング、前記封止材、及び前記フィルタエレメントから独立した構成部分である、請求項１に記載のフィルタアセンブリ。
【請求項５】
前記封止材は、前記フィルタハウジングと前記フィルタエレメントとの間で軸方向に圧縮されて軸方向封止を形成する、請求項１に記載のフィルタアセンブリ。
【請求項６】
前記フィルタエレメントは外側ラッパーを含み、前記フィルタメディアは、前記外側ラッパー内に位置し、前記外側ラッパーによって外接されている、請求項１に記載のフィルタアセンブリ。
【請求項７】
前記封止材は、前記フィルタハウジングと前記外側ラッパーとの間で軸方向に圧縮されている、請求項６に記載のフィルタアセンブリ。
【請求項８】
前記封止材は、前記フィルタエレメントによって保持されていない、請求項７に記載のフィルタアセンブリ。
【請求項９】
前記外側ラッパーは、半径方向外向きに延びる複数の支持リブを含み、前記リブは軸方向に長い、請求項６に記載のフィルタアセンブリ。
【請求項１０】
前記フィルタメディアは、前記フィルタエレメントの入口面と前記フィルタエレメントの出口面との間に第１の軸方向長さを有し、前記ラッパーは、第２の軸方向長さを有し、前記第２の軸方向長さは、前記第１の軸方向長さより短く、その為、前記フィルタメディアの露出部分が軸方向に前記外側ラッパーの外まで延びている、請求項６に記載のフィルタアセンブリ。
【請求項１１】
前記カバーは、環状の、軸方向に延びる第１のフランジ部分を含み、前記第１のフランジ部分は、前記フィルタアセンブリの組み立て完了時に、前記フィルタメディアの前記露出部分を外接させる、請求項１０に記載のフィルタアセンブリ。
【請求項１２】
前記カバーは、環状の、軸方向に延びる第２のフランジ部分を含み、前記第２のフランジ部分は、前記フィルタハウジングの前記内部キャビティ内に軸方向に延び、前記フィルタエレメントと前記フィルタハウジングとの間に半径方向に介在し、前記第２のフランジ部分は、前記第１のフランジ部分から半径方向に間隔を置いて配置されている、請求項１１に記載のフィルタアセンブリ。
【請求項１３】
前記第１及び第２のフランジ部分は、前記第１のフランジ部分の内径が前記第２のフランジ部分の内径より小さい段付き関係を提供する、請求項１２に記載のフィルタアセンブリ。
【請求項１４】
前記フィルタエレメントは、前記フィルタメディアに作用的に固定された、半径方向外向き封止材支持フランジを含み、前記封止材は、前記封止材支持フランジと前記ハウジングとの間で軸方向に圧縮されており、
前記ハウジングは、半径方向外向き封止材支持フランジを含み、前記封止材は、前記ハウジングの前記封止材支持フランジと前記フィルタエレメントの前記封止材支持フランジとの間で軸方向に圧縮されている、請求項１に記載のフィルタアセンブリ。
【手続補正２】
【補正対象書類名】明細書
【補正対象項目名】０１９９
【補正方法】変更
【補正の内容】
【０１９９】
本明細書においては、本発明を実施する為の、本発明者らが知っている最良の形態を含む、本発明の好ましい実施形態が説明されている。当業者であれば、前述の説明を読むことにより、これらの好ましい実施形態の変形形態が明らかになるであろう。本発明者らは、当業者がそのような変形形態を適宜採用することを想定しており、本明細書において具体的に説明されたもの以外の方法で本発明が実施されることを企図している。従って、本発明は、準拠法によって許可されているとおり、本明細書に添付された特許請求の範囲に記載されている内容のあらゆる修正及び均等物を包含する。更に、本明細書中で特に指摘したり、明らかに文脈と矛盾したりしない限り、好ましい実施形態のあらゆる可能な変形形態における上述の要素のあらゆる組み合わせが本発明に包含される。
〔付記１〕
内部キャビティ、入口、及び出口を画定するフィルタハウジングと、
前記入口と前記出口との間に介在する第１の格子と、
前記第１の格子から軸方向に間隔を置いて配置されたカバーと、
封止材と、
フィルタメディアを有するフィルタエレメントであって、前記フィルタエレメントは、軸方向に前記第１の格子と前記カバーとの間に介在し、少なくとも一部分が前記内部キャビティ内に位置し、前記封止材は、前記フィルタエレメントと前記フィルタハウジングとの間で動作して、前記入口から前記出口にかけての前記フィルタメディアの周囲への迂回を防ぐ、前記フィルタエレメントと、
を備えるフィルタアセンブリ。
〔付記２〕
前記フィルタエレメントは、入口流れ面及び出口流れ面を有し、前記第１の格子は、前記出口流れ面の端から端まで、前記出口流れ面に軸方向に隣接して延び、前記カバーは、前記入口流れ面の端から端まで、前記入口流れ面に軸方向に隣接して延び、前記出口流れ面に隣接する前記第１の格子は、前記フィルタメディアの筒同士が、前記フィルタアセンブリを通る流れの方向にずれるのを実質的に抑える、請求項１に記載のフィルタアセンブリ。
〔付記３〕
前記第１の格子は、前記フィルタハウジングの一部分として一体的に形成されて、一体構造になっている、請求項１に記載のフィルタアセンブリ。
〔付記４〕
前記第１の格子は、前記フィルタハウジング、前記封止材、及び前記フィルタエレメントから独立した構成部分である、請求項１に記載のフィルタアセンブリ。
〔付記５〕
前記封止材は、前記フィルタハウジングと前記フィルタエレメントとの間で軸方向に圧縮されて軸方向封止を形成する、請求項１に記載のフィルタアセンブリ。
〔付記６〕
前記フィルタエレメントは外側ラッパーを含み、前記フィルタメディアは、前記外側ラッパー内に位置し、前記外側ラッパーによって外接されている、請求項１に記載のフィルタアセンブリ。
〔付記７〕
前記封止材は、前記フィルタハウジングと前記外側ラッパーとの間で軸方向に圧縮されている、請求項６に記載のフィルタアセンブリ。
〔付記８〕
前記封止材は、前記フィルタエレメントによって保持されていない、請求項７に記載のフィルタアセンブリ。
〔付記９〕
前記外側ラッパーは、半径方向外向きに延びるフランジを含み、前記封止材は、前記半径方向外向きに延びるフランジと前記フィルタハウジングとの間で軸方向に圧縮されている、請求項７に記載のフィルタアセンブリ。
〔付記１０〕
前記外側ラッパーは、半径方向外向きに延びる複数の支持リブを含み、前記リブは軸方向に長い、請求項６に記載のフィルタアセンブリ。
〔付記１１〕
前記外側ラッパーは、半径方向外向きに前記支持リブより遠くまで延びる、半径方向外向きに延びるフランジを含む、請求項１０に記載のフィルタアセンブリ。
〔付記１２〕
前記フィルタメディアは、前記フィルタエレメントの入口面と前記フィルタエレメントの出口面との間に第１の軸方向長さを有し、前記ラッパーは、第２の軸方向長さを有し、前記第２の軸方向長さは、前記第１の軸方向長さより短く、その為、前記フィルタメディアの露出部分が軸方向に前記外側ラッパーの外まで延びている、請求項６に記載のフィルタアセンブリ。
〔付記１３〕
前記カバーは、環状の、軸方向に延びる第１のフランジ部分を含み、前記第１のフランジ部分は、前記フィルタアセンブリの組み立て完了時に、前記フィルタメディアの前記露出部分を外接させる、請求項１２に記載のフィルタアセンブリ。
〔付記１４〕
前記カバーは、環状の、軸方向に延びる第２のフランジ部分を含み、前記第２のフランジ部分は、前記フィルタハウジングの前記内部キャビティ内に軸方向に延び、前記フィルタエレメントと前記フィルタハウジングとの間に半径方向に介在し、前記第２のフランジ部分は、前記第１のフランジ部分から半径方向に間隔を置いて配置されている、請求項１３に記載のフィルタアセンブリ。
〔付記１５〕
前記カバーは、半径方向外向きに延びる環状マウントフランジを含み、前記フィルタハウジングは、半径方向外向きに延びるマウントフランジを含み、前記カバーの前記マウントフランジと前記フィルタハウジングの前記マウントフランジは、前記フィルタアセンブリの組み立て完了時には、軸方向に当接する、請求項１４に記載のフィルタアセンブリ。
〔付記１６〕
前記第１及び第２のフランジ部分は、前記第１のフランジ部分の内径が前記第２のフランジ部分の内径より小さい段付き関係を提供する、請求項１４に記載のフィルタアセンブリ。
〔付記１７〕
前記フィルタエレメントは、前記フィルタメディアに作用的に固定された、半径方向外向き封止材支持フランジを含み、前記封止材は、前記封止材支持フランジと前記ハウジングとの間で軸方向に圧縮されている、請求項１に記載のフィルタアセンブリ。
〔付記１８〕
前記ハウジングは、半径方向外向き封止材支持フランジを含み、前記封止材は、前記ハウジングの前記封止材支持フランジと前記フィルタエレメントの前記封止材支持フランジとの間で軸方向に圧縮されている、請求項１７に記載のフィルタアセンブリ。
〔付記１９〕
前記カバーを前記ハウジングに固定する取り付け機構を更に備える、請求項１８に記載のフィルタアセンブリ。
〔付記２０〕
前記取り付け機構は、Ａ）前記ハウジングの前記封止材支持フランジ及び前記フィルタエレメントの前記封止材支持フランジを貫通して延びるねじ、又は、Ｂ）前記カバーを前記ハウジングに固定するラッチのいずれかを含む、請求項１９に記載のフィルタアセンブリ。
〔付記２１〕
前記フィルタメディアは、ひだ付きフィルタメディアである、請求項１に記載のフィルタアセンブリ。
〔付記２２〕
入口流れ面及び出口流れ面を有するひだ付きフィルタメディアパックであって、前記ひだ付きフィルタメディアのひだは、前記入口流れ面と前記出口流れ面との間を延びる、前記ひだ付きフィルタメディアパックと、
前記ひだ付きフィルタメディアパックを外接させ、軸方向に前記ひだ付きフィルタメディアパックの前記ひだの全長より短く延びることにより、前記ひだ付きフィルタメディアパックの軸方向に延びる一部分が露出する、外側ラッパーと、
を備えるフィルタエレメント。
〔付記２３〕
前記外側ラッパーは、前記入口流れ面から軸方向にオフセットされた遠位端を画定し、前記遠位端に近接する、半径方向外向きに延びるフランジを含む、請求項１に記載のフィルタエレメント。
〔付記２４〕
内部キャビティ、入口、及び出口を画定するフィルタハウジングと、
プライマリフィルタエレメントであって、
入口端部と出口端部との間を軸方向に延びるメディアパックと、
半径方向外向き封止面を有し、前記メディアパックに作用的に固定された封止フランジと、を有する前記プライマリフィルタエレメントと、
安全フィルタエレメントであって、
入口端部と出口端部との間を軸方向に延びるフィルタメディアと、
前記フィルタメディアに作用的に固定された封止材支持構造物と、
前記封止材支持構造物によって支持されて、前記フィルタハウジングの内側表面と封止的に係合する外向き半径方向封止面と、
前記封止材支持構造物によって支持されて、前記プライマリフィルタエレメントの前記封止フランジの前記半径方向外向き封止面と封止的に係合する内向き半径方向封止面と、を有する前記安全フィルタエレメントと、
を備えるフィルタアセンブリ。
〔付記２５〕
前記封止材支持構造物は、前記内向き封止面及び前記外向き封止面を支持する封止材支持物と、前記封止材支持物と前記安全フィルタエレメントの前記フィルタメディアとの間を延びる中間区画と、を有し、前記フィルタアセンブリの前記半径方向外向き封止面が、前記安全フィルタエレメントの前記内向き半径方向封止面と係合したときに、前記中間区画及び前記内向き半径方向封止面は、それらの間に、前記プライマリフィルタの前記封止フランジを軸方向に収容するチャネルを形成する、請求項２４に記載のフィルタアセンブリ。
〔付記２６〕
前記封止材支持物は、略軸方向に延びる第１のフランジであり、前記中間区画は、前記封止材支持物から半径方向内向きに間隔を置いて配置された、略軸方向に延びる第２のフランジを含み、前記中間区画構造物は更に、前記第１及び第２のフランジを結合する、半径方向に延びる区画を含む、請求項２５に記載のフィルタアセンブリ。
〔付記２７〕
前記外向き半径方向封止面及び前記内向き半径方向封止面は、単一封止部材によって与えられる、請求項２６に記載のフィルタアセンブリ。
〔付記２８〕
前記単一封止部材は、前記封止材支持物に取り付けられ、前記封止材支持物は、前記内向き半径方向封止面と前記外向き半径方向封止面との間に半径方向に介在する、請求項２７に記載のフィルタアセンブリ。
〔付記２９〕
前記封止材支持物は、前記封止材支持物を貫通して形成された半径方向のレリーフを含み、前記封止部材は、前記レリーフを半径方向に貫通して延びる、請求項２８に記載のフィルタアセンブリ。
〔付記３０〕
前記レリーフは開口である、請求項２９に記載のフィルタアセンブリ。
〔付記３１〕
組み立て後、前記安全フィルタは、前記プライマリフィルタの前記ひだ付きメディアパックと軸方向に当接して、前記ひだ付きメディアパックの筒同士がずれることを防ぐ、請求項２４に記載のフィルタアセンブリ。
〔付記３２〕
前記安全フィルタは格子を含み、前記格子は、前記ひだ付きメディアパックの前記出口端部と軸方向に当接する、請求項３１に記載のフィルタアセンブリ。
〔付記３３〕
前記安全フィルタエレメントの前記フィルタメディアの入口面が、軸方向で、前記プライマリフィルタエレメントの前記封止フランジと前記内向き半径方向封止面との間の係合部よりも、前記プライマリフィルタの前記ひだ付きメディアパックの前記出口端部に近い、請求項２４に記載のフィルタアセンブリ。
〔付記３４〕
前記フィルタハウジングは、半径方向内向きの段を有し、前記安全フィルタエレメントは、前記半径方向内向きの段と軸方向に当接する、請求項２４に記載のフィルタアセンブリ。
〔付記３５〕
前記封止フランジは、前記内向き半径方向封止面を形成する材料より剛性が高い、請求項２４に記載のフィルタアセンブリ。
〔付記３６〕
前記封止部材は、発泡ポリウレタンから形成される、請求項２７に記載のフィルタアセンブリ。
〔付記３７〕
前記封止フランジの前記封止面は、前記メディアパックから軸方向に間隔を置いて配置される、請求項２４に記載のフィルタアセンブリ。
〔付記３８〕
前記封止フランジの前記封止面は、少なくとも一部分が、軸方向に、前記ひだ付きメディアパックの前記入口端部と前記出口端部との間に位置する、請求項２４に記載のフィルタアセンブリ。
〔付記３９〕
前記外向き半径方向封止面は、前記内向き半径方向封止面から軸方向に間隔を置いて配置される、請求項２４に記載のフィルタアセンブリ。
〔付記４０〕
組み立て後、前記内向き半径方向封止面は、軸方向で、前記外向き半径方向封止面よりも、前記プライマリフィルタエレメントの前記ひだ付きメディアパックの前記出口端部に近い、請求項３９に記載のフィルタアセンブリ。
〔付記４１〕
前記フィルタアセンブリの組み立て完了時には、前記封止材支持構造物は、前記プライマリフィルタエレメントの少なくとも一部分を軸方向に収容する、請求項２４に記載のフィルタアセンブリ。
〔付記４２〕
前記フィルタアセンブリの組み立て完了時には、前記内向き半径方向封止面の少なくとも一部分が、軸方向に、前記ひだ付きメディアパックの前記入口端部と前記出口端部との間にある、請求項２４に記載のフィルタアセンブリ。
〔付記４３〕
フィルタメディアと、
外向き半径方向封止面と、
内向き半径方向封止面と、
前記フィルタメディアに作用的に固定され、前記外向き半径方向封止面及び前記内向き半径方向封止面を支持する封止材支持構造物であって、前記封止材支持構造物は、前記内向き半径方向封止面及び前記外向き半径方向封止面を支持する封止材支持物と、前記封止材支持物と前記フィルタメディアとの間を延びる中間区画と、を有し、前記中間区画及び前記内向き半径方向封止面は、それらの間にチャネルを形成し、前記半径方向内向き半径方向封止面は前記中間部分に面する、前記封止材支持構造物と、
を備える安全フィルタエレメント。
〔付記４４〕
前記封止材支持物は、略軸方向に延びる第１のフランジであり、前記中間区画は、前記封止材支持物から半径方向内向きに間隔を置いて配置された、略軸方向に延びる第２のフランジを含み、前記中間区画構造物は更に、前記第１及び第２のフランジを結合する、半径方向に延びる区画を含む、請求項４３に記載の安全フィルタ。
〔付記４５〕
前記外向き半径方向封止面及び前記内向き半径方向封止面は、単一封止部材によって与えられる、請求項４４に記載の安全フィルタ。
〔付記４６〕
前記単一封止部材は、前記封止材支持物に取り付けられ、前記封止材支持物は、前記内向き半径方向封止面と前記外向き半径方向封止面との間に半径方向に介在する、請求項４５に記載の安全フィルタ。
〔付記４７〕
前記封止材支持物は、前記封止材支持物を貫通して形成された半径方向のレリーフを含み、前記封止部材は、前記レリーフを半径方向に貫通して延びる、請求項４６に記載の安全フィルタ。
〔付記４８〕
前記レリーフは開口である、請求項４７に記載の安全フィルタ。
〔付記４９〕
入口端部及び出口端部を有するひだ付きメディアパックと、
前記ひだ付きメディアパックに固定された剛性封止フランジであって、軟性封止材料により封止を行う為の半径方向外向き封止面を画定する前記剛性封止フランジと、
を備えるプライマリフィルタエレメント。
〔付記５０〕
前記半径方向外向き封止面は、前記ひだ付きメディアパックの出口端部から軸方向に間隔を置いて配置されている、請求項４９に記載のプライマリフィルタエレメント。
〔付記５１〕
前記剛性封止フランジを前記ひだ付きメディアパックにつなぐ中間部分を更に備える、請求項５０に記載のプライマリフィルタエレメント。
〔付記５２〕
前記中間部分は、前記ひだ付きメディアパックの半径方向外周部に固定され、前記剛性封止フランジより半径方向に大きい寸法になっている、請求項５１に記載のプライマリフィルタエレメント。
〔付記５３〕
前記半径方向外向き封止面は、少なくとも一部分が、軸方向に、前記ひだ付きメディアパックの前記入口端部と前記出口端部との間に位置する、請求項４９に記載のプライマリフィルタエレメント。
〔付記５４〕
内部キャビティ、入口、及び出口を画定するフィルタハウジングと、
プライマリフィルタエレメントであって
入口端部と出口端部との間を軸方向に延びるひだ付きメディアパックと、
半径方向外向き封止面を有し、前記メディアパックに作用的に固定された封止フランジと、を有する前記プライマリフィルタエレメントと、
前記ひだ付きメディアパックが延びる内部キャビティを画定する管状安全フィルタエレメントであって、
管状フィルタメディア環と、
前記フィルタメディアに作用的に取り付けられて前記フィルタハウジングの内側表面と封止的に係合する外向き半径方向封止面と、
前記フィルタメディアに作用的に取り付けられて、前記プライマリフィルタエレメントの前記封止フランジの前記半径方向外向き封止面と封止的に係合する内向き半径方向封止面と、を有する前記管状安全フィルタエレメントと、
を備えるフィルタアセンブリ。
〔付記５５〕
前記管状安全フィルタは更に、前記フィルタメディアの一端を閉じる端部キャップを含む、請求項５４に記載のフィルタアセンブリ。
〔付記５６〕
前記フィルタアセンブリを通る流体流路は、最初に前記ひだ付きメディアパックの前記入口端部に入り、前記ひだ付きメディアパック内を軸方向に通って、前記出口端部から出て、前記管状安全フィルタを半径方向外向きに通り抜ける、請求項５４に記載のフィルタアセンブリ。
〔付記５７〕
前記プライマリフィルタエレメントは、前記ひだ付きメディアパックの前記入口端部と前記出口端部との間を軸方向に延びる略無孔円筒状ラッパーを含み、前記出口端部は、前記管状安全フィルタの前記内部キャビティと流体連通している、請求項５６に記載のフィルタアセンブリ。
〔付記５８〕
前記プライマリフィルタエレメントの前記出口端部の少なくとも一部分を軸方向に支持する支持構造物を更に備える、請求項５５に記載のフィルタアセンブリ。
〔付記５９〕
前記フィルタハウジングは、前記流体流方向に沿って寸法が徐々に減少する漸減直径区画を含み、前記漸減直径区画は、略半径方向内向きに延びる複数の分流フィンを含む、請求項５４に記載のフィルタアセンブリ。
〔付記６０〕
前記分流フィンは、前記管状安全フィルタが前記ハウジング内に挿入されたときに当接する軸方向当接部を画定する、請求項５９に記載のフィルタアセンブリ。
〔付記６１〕
前記管状安全フィルタは、前記ハウジングの前記入口と前記分流フィンとの間に略位置する、請求項６０に記載のフィルタアセンブリ。
〔付記６２〕
前記内向き半径方向封止面は、前記管状フィルタメディア環の円筒内周部から半径方向内向きに間隔を置いて配置されており、前記外向き半径方向封止面は、前記管状フィルタメディア環の円筒外周部から半径方向外向きに間隔を置いて配置されている、請求項５４に記載のフィルタアセンブリ。
〔付記６３〕
前記プライマリフィルタエレメントは、円筒外周部を有し、前記プライマリフィルタエレメントの前記円筒外周部と、前記管状フィルタメディア環の前記円筒内周部との間に、半径方向ギャップが形成されている、請求項６２に記載のフィルタアセンブリ。
〔付記６４〕
前記管状安全フィルタの前記内部キャビティ内で、前記ひだ付きメディアパックの前記出口端部に近接して位置する支持格子を更に備える、請求項５５に記載のフィルタアセンブリ。
〔付記６５〕
内部キャビティ及び開放入口端部を画定するフィルタハウジングと、
前記開放入口端部上に載せられた環状封止部材と、
フィルタエレメントであって、
メディアパックと、
前記メディアパックに取り付けられて、少なくとも一部分が前記メディアパックを越えて半径方向外向きに延びる空気旋回器であって、前記環状封止部材の軸方向端部と係合する前記空気旋回器と、を含む前記フィルタエレメントと、
カバーと、
を備えるフィルタアセンブリ。
〔付記６６〕
前記空気旋回器は、半径方向内向き流路を画定する複数のベーンを含む、請求項６５に記載のフィルタアセンブリ。
〔付記６７〕
前記カバーは、旋回器入口ポートをその中に画定する外側環状スカートを含む、請求項６６に記載のフィルタアセンブリ。
〔付記６８〕
前記外側環状スカートは、前記環状封止部材の前記半径方向外周部に対して半径方向の封止を行う、請求項６７に記載のフィルタアセンブリ。
〔付記６９〕
内部キャビティを画定するフィルタハウジングと、
前記ハウジングに取り付けられたカバーと、
前記内部キャビティ内に位置してメディアパックを有するプライマリフィルタエレメントと、
セカンダリフィルタエレメントであって、
フィルタメディアと、
前記フィルタメディアに取り付けられ、前記フィルタメディアの上流側に近接して位置する上流格子であって、前記プライマリフィルタエレメントの前記メディアパックの下流端部に近接する前記上流格子と、
前記フィルタメディアに取り付けられ、前記フィルタメディアの下流側に近接して位置する下流格子と、
前記プライマリフィルタエレメントと前記フィルタハウジングとの間で軸方向に圧縮されて、前記プライマリフィルタエレメント及び前記セカンダリフィルタエレメントの両方を前記ハウジングに対して封止する封止部材と、を有する前記セカンダリフィルタエレメントと、
を備えるフィルタアセンブリ。
〔付記７０〕
前記プライマリフィルタエレメントは、外側無孔ラッパーを含み、且つ、封止フランジを含み、前記封止フランジは、前記プライマリフィルタエレメントの前記メディアパックの前記下流端部の一部分を覆って半径方向内向きに延び、前記封止部材は、前記フィルタハウジングと前記封止フランジの軸方向面との間で軸方向に圧縮される、請求項６９に記載のフィルタアセンブリ。
〔付記７１〕
内部キャビティを画定するフィルタハウジングと、
前記ハウジングに取り付けられたカバーと、
前記内部キャビティ内に位置してメディアパックを有するプライマリフィルタエレメントと、
セカンダリフィルタエレメントであって、
フィルタメディアと、
前記フィルタメディアに取り付けられ、前記フィルタメディアの上流側に近接して位置する上流格子であって、前記プライマリフィルタエレメントの前記メディアパックの下流端部に近接する前記上流格子と、
前記フィルタメディアに取り付けられ、前記フィルタメディアの下流側に近接して位置する下流格子と、
前記プライマリフィルタエレメントと前記セカンダリフィルタエレメントの封止材支持部材との間で軸方向に圧縮される第１の封止部材と、
前記封止材支持部材と前記フィルタハウジングとの間で軸方向に圧縮される第２の封止部材と、を有する前記セカンダリフィルタエレメントと、
を備えるフィルタアセンブリ。
〔付記７２〕
前記フィルタハウジングは、前記フィルタハウジングの入口端部と出口端部との間を延びる外側環状側壁を含み、前記フィルタハウジングは更に、前記外側環状側壁から半径方向内向きに間隔を置いて配置された内側環状側壁を含み、これによって、前記フィルタハウジングの前記入口端部に軸方向に面した開口を有する環状トラフが前記外側環状側壁と前記内側環状側壁との間に形成され、半径方向に延びる当接面が、前記内側環状側壁と前記外側環状側壁との間を半径方向に延びて前記トラフの底部を形成し、前記第２の封止部材は、前記当接面に対して軸方向に圧縮される、請求項７１に記載のフィルタアセンブリ。
〔付記７３〕
前記封止材支持部材は、前記環状トラフ内へ軸方向に延びる、請求項７２に記載のフィルタアセンブリ。
〔付記７４〕
前記下流格子は、前記トラフの前記開口に近接した前記内側環状側壁の遠位端に軸方向に載っている、請求項７２に記載のフィルタアセンブリ。
〔付記７５〕
前記プライマリフィルタエレメントは、前記プライマリフィルタエレメントの前記メディアパックの前記下流端部を覆って半径方向内向きに延びる封止フランジを含み、前記封止フランジは、前記第１の封止部材に対して軸方向に圧縮される、請求項７１に記載のフィルタアセンブリ。
〔付記７６〕
入口と出口との間を延びる内部キャビティを画定するフィルタハウジングであって、前記フィルタハウジングは、軸方向に前記入口に面する、半径方向に延びる封止面を有し、前記ハウジングは、前記入口と前記出口との間に介在する下流支持格子を有する、前記フィルタハウジングと、
前記ハウジングに取り付けられたカバーと、
前記内部キャビティ内に位置するプライマリフィルタエレメントであって、
メディアパックと、
前記メディアパックに作用的に取り付けられ、前記フィルタハウジングの前記半径方向に延びる封止面に対して軸方向に付勢され、この封止面とともに封止を行う封止部材と、を有する前記プライマリフィルタエレメントと、
前記下流支持格子の上流に、前記下流支持格子にもたれて位置するフィルタメディアを有するセカンダリフィルタエレメントと、
前記プライマリフィルタエレメントの前記メディアパックの下流端部に近接して、前記セカンダリフィルタエレメントと前記プライマリフィルタエレメントの前記メディアパックとの間に軸方向に介在する取り外し可能な格子と、
を備えるフィルタアセンブリ。
〔付記７７〕
前記フィルタハウジングは、前記フィルタハウジングの前記入口端部と前記出口端部との間を延びる外側環状側壁を含み、前記フィルタハウジングは更に、前記外側環状側壁から半径方向内向きに間隔を置いて配置された内側環状側壁を含み、これによって、前記フィルタハウジングの前記入口端部に軸方向に面した開口を有する環状トラフが前記外側環状側壁と前記内側環状側壁との間に形成され、前記半径方向に延びる封止面は、前記内側環状側壁と前記外側環状側壁との間を半径方向に伸びて前記トラフの底部を形成し、前記封止部材は、前記開口を通って前記トラフ内に軸方向に延びる、請求項７６に記載のフィルタアセンブリ。
〔付記７８〕
前記取り外し可能な格子は、軸方向に延びる環状フランジを含み、前記軸方向に延びる環状フランジは、前記トラフ内に延びて、前記取り外し可能な格子を前記ハウジングに対して半径方向に位置決めする、請求項７７に記載のフィルタアセンブリ。
〔付記７９〕
入口と出口との間を延びる内部キャビティを画定するフィルタハウジングと、
前記入口に近接して前記フィルタハウジングに取り付けられて、半径方向内向き封止面を画定する封止部材と、
管状プライマリフィルタエレメントであって、
入口端部と出口端部との間を延びる管状メディアパックであって、前記入口端部と前記出口端部との間を延びる略無孔内周部を有する前記管状メディアパックと、
前記入口端部に近接して前記管状メディアパックに取り付けられた、軸方向に延びる封止フランジであって、前記軸方向に延びる封止フランジは、半径方向外向き封止面を画定し、前記半径方向外向き封止面は、前記封止部材の前記半径方向内向き封止面と係合する、前記軸方向に延びる封止フランジと、を含む前記管状プライマリフィルタエレメントと、
前記管状プライマリフィルタエレメント内に位置するセカンダリフィルタエレメントであって、
前記管状メディアパックの前記入口端部に近接する閉鎖端部と、
前記閉鎖端部において保持され、前記管状メディアパックの前記内周部と半径方向に係合する半径方向封止材と、
前記出口に近接して、前記セカンダリフィルタエレメントの開放端部を前記フィルタハウジングに対して封止する第３の封止部材と、を有する前記セカンダリフィルタエレメントと、を備え、
前記フィルタアセンブリを通る流体流路が、前記プライマリフィルタエレメントを軸方向に通り抜け、その後、前記セカンダリフィルタエレメントを半径方向に通り抜ける、
フィルタアセンブリ。
〔付記８０〕
前記フィルタハウジングは、有孔軸方向当接棚部を含み、前記プライマリフィルタエレメントが、前記管状メディアパックの前記出口端部に近接して、前記有孔軸方向当接棚部と軸方向に当接する、請求項７９に記載のフィルタアセンブリ。
〔付記８１〕
前記プライマリフィルタエレメントと前記セカンダリフィルタエレメントとの間に半径方向ギャップが形成される、請求項８０に記載のフィルタアセンブリ。
〔付記８２〕
前記封止部材は、前記フィルタハウジングに、解放可能に機械的に固定される、請求項７９に記載のフィルタアセンブリ。
〔付記８３〕
前記封止部材と封止的に係合するカバーを更に備え、前記カバーは、前記ハウジングの前記入口に近接して配置される、請求項７９に記載のフィルタアセンブリ。
〔付記８４〕
上流ハウジング区画と、
下流ハウジング区画と、
前記上流ハウジング区画と前記下流ハウジング区画との間に軸方向に介在するフィルタエレメントであって、前記フィルタエレメントは、外側ラッパーで囲まれたメディアパックを含み、前記外側ラッパーは、前記フィルタアセンブリを通る流路の少なくとも一部分を形成し、前記流路を周囲環境から切り離す、前記フィルタエレメントと、
を備えるフィルタアセンブリ。
〔付記８５〕
外側無孔ラッパー部分を有する外側管状メディアパックであって、内部キャビティを画定する前記管状メディアパックと、
前記外側管状メディアパックの前記内部キャビティ内に位置する内側円柱メディアパックであって、外側無孔ラッパー部分を含む前記内側円柱メディアパックと、を備えるメディアパックであって、
前記メディアパックを通る流体流が、前記管状メディアパックの入口端部から、軸方向に、前記メディアパックの前記フィルタメディアを通って出口端部に向かって移動し、前記流体は、その後、半径方向内向きに、前記円柱メディアパックの入口端部に向かって流れ、前記流体は、その後、軸方向に、前記円柱メディアパックの前記入口端部から前記円柱メディアパックの前記出口端部に向かって流れる、
メディアパック。
〔付記８６〕
前記内部キャビティを画定する、前記管状メディアパックの内周部が、内側無孔ラッパー部分によって与えられる、請求項８５に記載のメディアパック。
〔付記８７〕
入口端部及び出口端部を含むフィルタハウジングであって、
半径方向外向きに延びるマウントフランジを含む環状側壁であって、前記マウントフランジは、前記出口と軸方向に離れて向かい合う軸方向封止面を与える、前記環状側壁と、
前記入口端部よりも前記出口端部に近づいて位置し、前記ハウジングの出口の端から端まで延びる下流格子と、を含む前記フィルタハウジングと、
フィルタエレメントであって、
フィルタメディアパックと、
前記フィルタメディアパックに作用的に固定された、半径方向外向きに延びる封止フランジであって、前記フィルタメディアパックの入口端部に近接して位置する前記半径方向外向きに延びる封止フランジと、を含む前記フィルタエレメントと、
前記半径方向外向きに延びるマウントフランジと、前記フィルタエレメントの前記半径方向外向きに延びる封止フランジとの間で軸方向に圧縮されるガスケットと、
を備えるフィルタアセンブリ。
〔付記８８〕
前記フィルタエレメントの前記半径方向外向きに延びる封止フランジは、前記フィルタハウジングに対して前記フィルタエレメントを方向付ける為の位置決め構造物が内部に形成されている、請求項８７に記載のフィルタアセンブリ。
〔付記８９〕
前記位置決め構造物は、前記半径方向外向きに延びる封止フランジ内に形成されたボイドであり、前記ボイドは、前記フィルタハウジングの連係位置決め構造物を収容する、請求項８８に記載のフィルタアセンブリ。
〔付記９０〕
前記フィルタハウジングの前記連係位置決め構造物は、前記フィルタアセンブリのカバーを前記フィルタハウジングに固定する為に使用される少なくとも１つの植え込みボルトであり、前記カバーは、前記フィルタエレメントに対して軸方向に付勢されて、前記フィルタエレメントの前記半径方向外向きに延びる封止フランジが前記ガスケットに対して軸方向に付勢されるようにする、請求項８９に記載のフィルタアセンブリ。
〔付記９１〕
フィルタハウジングであって、前記フィルタハウジングは、ある角度で前記フィルタハウジングの外側円筒状側壁に入る入口と、前記フィルタハウジングの一端部に形成された出口と、を含み、前記ハウジングは更に、前記外側円筒状側壁の半径方向内側にある内側円筒状側壁と、前記内側環状側壁と前記外側管状側壁との間に形成された環状ギャップと、を含み、前記内側円筒状側壁は、前記入口と前記出口との間に流体的に介在する内部キャビティを画定し、前記キャビティは、前記フィルタハウジングの前記出口から軸方向に間隔を置いて配置された入口端部を有する、前記フィルタハウジングと、
前記内側円筒状側壁によって画定される前記内部キャビティ内に位置するフィルタエレメントであって、軸方向に延びるメディアパックを含む前記フィルタエレメントと、
前記内側環状側壁の前記入口端部に近接して、前記ハウジングの前記外側環状側壁に封止的に取り付けられたカバーと、
前記フィルタエレメントと、前記内側環状側壁の半径方向内側表面との間に半径方向に介在する封止部材と、
前記ハウジングの前記入口と前記メディアパックとの間に介在するフィンケージであって、前記フィンケージは、前記封止部材と軸方向に封止的に係合して、前記フィンケージと前記封止部材との間を迂回することを防ぎ、前記フィンケージは、流体が前記フィルタメディアに入る前ではなく、前記フィルタハウジングに入った後に、前記流体を回転させるように構成されている、前記フィンケージと、
を備えるフィルタアセンブリ。
〔付記９２〕
前記メディアパックは、前記入口端部付近の外形が、前記内側円筒状側壁の前記内側表面の内径より小さい、請求項９１に記載のフィルタアセンブリ。
〔付記９３〕
前記封止部材は、断面が軸方向にくさび形であり、前記フィルタハウジングの前記入口端部から前記出口端部に向かって下流方向に行くほど厚みが薄くなる、請求項９２に記載のフィルタアセンブリ。
〔付記９４〕
前記カバーが前記外側環状側壁に取り付けられた場合、前記カバーは、前記スピンケージに軸方向に当接し、前記スピンケージを軸方向に前記封止部材内へ付勢する、請求項９１に記載のフィルタアセンブリ。
〔付記９５〕
前記内側環状側壁は、前記ハウジングの前記出口端部から軸方向に離れるにつれて先細になり、前記内側環状側壁の前記上流遠位端は、前記内側環状側壁の前記下流端部より薄くなっている、請求項９１に記載のフィルタアセンブリ。
〔付記９６〕
前記内側環状側壁の前記内側表面の内径は、前記下流端部において、前記上流端部付近より大きい、請求項９５に記載のフィルタアセンブリ。
〔付記９７〕
前記フィルタメディアの前記外径は、前記フィルタメディアの軸方向の全長にわたって略一定である、請求項９６に記載のフィルタアセンブリ。